(57)【要約】【課題】可動物をラック部材及びピニオン部材によって駆動させる可動物ユニットにおいて、ラック部材の位置ずれを抑制することができる可動物ユニットを提供することを例示的課題とする。【解決手段】この可動物ユニット４０は、レール部材と、レール部材に対してスライド移動するスライド部材と、スライド部材に固定されたラック部材と、ラック部材と噛み合うピニオン部材と、ピニオン部材を回転駆動する駆動手段と、ラック部材に接続された可動物と、を有し、レール部材、スライド部材、及びラック部材は、鉛直方向に対して傾斜して配置されており、斜め方向にスライド移動するように構成されている。【選択図】図３
2011045391.tif 000002
【特許請求の範囲】
【請求項１】
レール部材と、
該レール部材に対してスライド移動するスライド部材と、
該スライド部材に固定され、該スライド部材と共にスライド移動するラック部材と、
該ラック部材と噛み合うピニオン部材と、
該ピニオン部材を回転駆動する駆動手段と、
該ラック部材に接続され、該ラック部材及び前記スライド部材と共にスライド移動する可動物と、を有する可動物ユニットであって、
前記レール部材、前記スライド部材、及び前記ラック部材は、鉛直方向に対して傾斜して配置されており、斜め方向にスライド移動するように構成されている、可動物ユニット。
【請求項２】
前記ピニオン部材は、第１ピニオン部材と、該第１ピニオン部材と噛み合う第２ピニオン部材と、を備えており、
該第１ピニオン部材は、前記ラック部材と噛み合うように配置され、
該第２ピニオン部材は、前記駆動手段と連結されており、
前記第１ピニオン部材及び前記第２ピニオン部材を介して前記駆動手段の駆動力が前記ラック部材に伝達するように構成されている、請求項１に記載の可動物ユニット。
【請求項３】
前記可動物と前記ラック部材とを接続するアーム部材と、
前記ラック部材のスライド移動をガイドするガイド部材と、を更に備えており、
前記アーム部材の一端は、前記ラック部材に接続され、該アーム部材の他端は、前記可動物と接続されており、
前記可動物の重心は、前記ラック部材のスライド方向を含む平面からずれた位置に配置されており、
前記ガイド部材は、前記アーム部材の前記一端側に配置され、前記可動物の自重に基づく前記平面と直交する方向への前記ラック部材の倒れを防止するように構成されている、請求項１又は請求項２に記載の可動物ユニット。
【発明の詳細な説明】
【技術分野】
【０００１】
本発明は、ラック部材及びピニオン部材を介して駆動される可動物を有する可動物ユニットに係り、特に鉛直方向に対して傾斜した斜め方向に移動する可動物を有する可動物ユニットに関する。
【背景技術】
【０００２】
パチンコ機においては、弾球された遊技球が遊技領域（遊技盤面上又はその近傍に形成された領域であって、遊技球の流下による遊技や演出を実現するための領域。）を流下して、その流下の過程で遊技球が遊技領域内の遊技釘（ゲージともいう。）や風車に衝突しつつ転回して流下方向が変化する。その結果、遊技領域上に配置された各種入賞口に遊技球が入賞すれば所定の景品球の払出しがされ、一方いずれの入賞口にも入賞せずアウト口に遊技球が流入すれば景品球の払出しはされない。遊技者は、弾球における自らの技量を発揮して、又は遊技球の流下における偶然性を利用しつつ遊技球の入賞及び景品球払出しを期待し、遊技を楽しむのである。
【０００３】
遊技球の流下に基づく遊技を実現する遊技領域には、遊技球が入球する入球口を有する入賞装置や、遊技状態等を表示する表示装置や、可動物を有する可動物ユニット等、種々の部材が配置されている。例えば、特許文献１には、表示装置の前方に一対の駆動扉を配置した可動物ユニットが記載されている。
【先行技術文献】
【特許文献】
【０００４】
【特許文献１】特開２００７−６１４８８号公報
【発明の概要】
【発明が解決しようとする課題】
【０００５】
特許文献１に記載の可動物ユニットは、表示手段の前側において左右方向に移動可能に配置された一対の駆動扉と、この駆動扉を互いに当接する全閉位置と表示手段の左右両側に退避する全開位置との間で開閉駆動する駆動機構と、を有している。駆動機構は、左右の駆動扉の下端側又は上端側に沿って設けられた左右ラックと、この左右ラックと噛み合うピニオンと、を有しており、この左右ラックに沿って駆動扉が移動する。
【０００６】
可動物ユニットは、駆動扉を全開位置に移動すると後方の表示装置を視認可能な状態となり、駆動扉を全閉位置に移動すると表示装置の前方を塞ぐことができ、異なる演出態様を実現することができる。しかし、駆動扉が移動中に傾いたりして一対の駆動扉の相対位置がずれてしまうと、表示装置の前方を確実に塞ぐことができないおそれがある。
【０００７】
このような問題に鑑みて、特許文献１に記載の可動物ユニットには、駆動扉が全閉位置又はその近傍に位置するときに駆動扉の傾きを是正する傾き是正手段が設けられている。傾き是正手段によって駆動扉の傾きを正しい角度に調整することにより、表示装置の前方を確実に塞ぐことが可能となる。
【０００８】
しかし、左右ラックが下端側に配置される構成において、駆動扉の自重が左右ラックに作用すると、左右ラックが歪んで左右ラックの鉛直方向の位置ずれが発生するおそれがある。左右ラックの位置ずれが生じると、左右ラックに沿って移動する駆動扉も鉛直方向の位置ずれを生じ、駆動手段の駆動力が左右ラックに円滑に伝達されないおそれがある。
【０００９】
本発明は、上記の事情に鑑みて為されたものであり、可動物をラック部材及びピニオン部材によって駆動させる可動物ユニットにおいて、ラック部材の位置ずれを抑制することができる可動物ユニットを提供することを例示的課題とする。
【課題を解決するための手段】
【００１０】
本発明の例示的な側面としての可動物ユニットは、レール部材と、レール部材に対してスライド移動するスライド部材と、スライド部材に固定され、スライド部材と共にスライド移動するラック部材と、ラック部材と噛み合うピニオン部材と、ピニオン部材を回転駆動する駆動手段と、ラック部材に接続され、ラック部材及びスライド部材と共にスライド移動する可動物と、を有し、レール部材、スライド部材、及びラック部材は、鉛直方向に対して傾斜して配置されており、斜め方向にスライド移動するように構成されている。
【００１１】
可動物は、ラック部材に接続されており、ラック部材のスライド移動に伴ってスライド移動する。ラック部材は、スライド部材に固定されており、このスライド部材と共にスライド移動する。すなわち、可動物は、ラック部材を介してスライド部材と共にスライド移動する。スライド部材は、レール部材に沿って移動しており、レール部材がスライド部材のガイドとなる。このように可動物と共に移動するラック部材のガイドとなるスライド部材及びレール部材を備えているため、ラック部材及び可動物の位置ずれを防止することができる。
【００１２】
更に、例えば、スライド部材及びレール部材を比較的剛性の高い金属製とすることにより、レール部材及びスライド部材と共に移動するラック部材及び可動物の位置ずれを更に効果的に防止することができる。
【００１３】
ラック部材には、ピニオン部材を介して駆動手段の駆動力が伝達されるように構成されている。ラック部材の位置ずれが生じると、ラック部材とピニオン部材との相対位置がずれ、駆動手段の伝達力が確実に伝達しないおそれがある。しかし、ラック部材をスライド部材に固定することにより、ラック部材の駆動機構の剛性を高め、ラック部材の位置ずれを防止することができる。よって、ラック部材とピニオン部材の相対位置のずれも防止することができ、駆動力の伝達効率の低下を防止することができる。
【００１４】
具体的には、ラック部材とピニオン部材との相対位置のずれを防止することにより、互いのピッチ点間の距離を略一定に保つことができ、ピニオン部材からラック部材へ伝達するトルクが低減することを防止できる。更に、ピッチ点間の距離を略一定に保つことにより、ラック部材及びピニオン部材の噛み合わせが安定し、歯の磨耗を防ぐことができる。ここで、ピッチ点とは、ピッチ線及びピッチ円上の点であり、ラック部材及びピニオン部材において互いに噛み合う点である。
【００１５】
また、レール部材、スライド部材、及びラック部材は、鉛直方向に対して傾斜して配置されており、斜め方向にスライド移動するように構成されているため、鉛直方向にスライド移動する構成と比較して、駆動手段の負荷を軽減することができ、スライド部材、ラック部材、及び可動物を駆動するための必要トルクを低減することができる。必要トルクを低減することにより、駆動手段の小型化を図ることができ、スペース効率を向上させることができる。
【００１６】
更に、ラック部材をスライド部材に直接固定するため、わざわざ別にラック部材の取付構造の保持機構を設ける必要もなく、ラック部材の剛性を高めることができる。保持機構を設ける構成と比べて、可動物ユニットを小型化して、スペース効率を向上させることができる。
【００１７】
また、ピニオン部材は、第１ピニオン部材と、第１ピニオン部材と噛み合う第２ピニオン部材と、を備えており、第１ピニオン部材は、ラック部材と噛み合うように配置され、第２ピニオン部材は、駆動手段と連結されており、第１ピニオン部材及び第２ピニオン部材を介して駆動手段の駆動力がラック部材に伝達するように構成されていてもよい。
【００１８】
第１ピニオン部材及び第２ピニオン部材を介して、ラック部材と駆動手段とを連結することにより、ラック部材に接続された可動物が落下した場合等、第１ピニオン部材に衝撃力が作用した際に係る衝撃力を分散して、連結部分やモータの破損を防ぐことができる。具体的には、第１ピニオン部材とラック部材との間のバックラッシ及び第１ピニオン部材と第２ピニオン部材との間のバックラッシによって、第１ピニオン部材及び第２ピニオン部材に対して作用する衝撃力を分散するとともに吸収して、個々に作用する衝撃力を低減することできる。
【００１９】
可動物ユニットは、可動物とラック部材とを接続するアーム部材と、ラック部材のスライド移動をガイドするガイド部材と、を更に備えており、アーム部材の一端は、ラック部材に接続され、アーム部材の他端は、可動物と接続されており、可動物の重心は、ラック部材のスライド方向を含む平面からずれた位置に配置されており、ガイド部材は、アーム部材の一端側に配置され、可動物の自重に基づく平面と直交する方向へのラック部材の倒れを防止するように構成されていることが望ましい。
【００２０】
可動物の重心は、ラック部材のスライド方向を含む平面からずれた位置に配置されている。したがって、ラック部材には、可動物の自重によってスライド方向を含む平面と直交する方向への引張力が作用する。この引張力の作用によって、ラック部材がスライド方向を含む平面と直交する方向へ倒れるおそれがある。ラック部材に倒れが生じると、ラック部材とピニオン部材との位置ずれが生じ、伝達効率が低下するおそれがある。
【００２１】
しかし、可動物の自重に基づく平面と直交する方向へのラック部材の倒れを防止するガイド部材を設けることにより、可動物の倒れを低減し、ラック部材とピニオン部材との位置ずれを防止し、伝達効率の低下を低減することができる。
【００２２】
更に、ガイド部材は、ラック部材と接続されたアーム部材の一端側に配置されており、比較的にラック部材に近接して設けられているため、ラック部材の倒れを効果的に防止することができる。特に、アーム部材が比較的長い部材の場合には、可動物とラック部材との距離が比較的長くなるため、ラック部材に可動物の自重が比較的大きく作用する。しかし、ガイド部を設けることにより、ラック部材に作用する可動物の自重を低減し、自重による位置ずれ（倒れ）等を防ぐことができる。
【００２３】
ガイド部材は、スライド方向を含む平面と直交する方向へのラック部材の倒れを防止するものであり、具体的には、ラック部材が倒れる方向においてラック部材と当接して配置され、ラック部材と当接することによりラック部材の倒れを防止する構成を例示できる。
【００２４】
また、ガイド部材は、ラック部材の倒れを防止する機能と併せて、ラック部材又はアーム部材のスライド移動をガイドするように構成されていてもよい。具体的には、ラック部材又はアーム部材に沿って回転移動する回転体や、ラック部材又はアーム部材に形成された孔部に挿入され、ラック部材又はアーム部材の穴部に沿って摺動する棒部材を例示できる。
【００２５】
本発明の更なる目的又はその他の特徴は、以下添付図面を参照して説明される好ましい実施の形態によって明らかにされるであろう。
【発明の効果】
【００２６】
本発明によれば、ラック部材の取付構造の剛性を高め、ラック部材とピニオン部材との相対位置のずれを防止することにより、互いのピッチ点間の距離を略一定に保つことができ、ピニオン部材からラック部材へ伝達効率の低下を抑制することが可能となる。また、可動物と連結されたラック部材をスライド部材に直接固定することによってラック部材の取付構造の剛性を高めるため、わざわざ別にラック部材の取付構造の保持機構を設ける必要もなく、ラック部材の取付構造の剛性を高めることができる。そのため、保持機構を設ける構成と比べて、可動物ユニットを小型化して、スペース効率を向上させることができる。
【図面の簡単な説明】
【００２７】
【図１】本発明の実施の形態に係るパチンコ機の正面図である。
【図２】図１に示すパチンコ機の背面図である。
【図３】図１に示す可動物ユニットの正面図である。
【図４】可動物ユニットの背面図である。
【図５】右上方から視認した可動物ユニットの斜視図である。
【図６】可動物ユニットの平面図である。
【図７】第１可動物、第２可動物、及び第３可動物を外した可動物ユニットが上端位置にある状態を示した正面図である。
【図８】第１可動物、第２可動物、及び第３可動物を外した可動物ユニットが下端位置にある状態を示した正面図である。
【図９】図８に示すＡ−Ａ断面における部分断面図である。
【図１０】ラック部材及びピニオン部材を拡大した部分拡大図である。
【発明を実施するための形態】
【００２８】
以下、本発明の実施の形態について図面を用いて説明する。図１は、本発明の実施の形態に係る可動物ユニットを有するパチンコ機（遊技機）２の正面図であり、図２は、図１に示すパチンコ機２の背面図である。このパチンコ機２は、遊技機枠３、遊技盤ユニット５、ガラス１０、発射ユニット（不図示）、球皿１４を有している。発射ユニットは、１個ずつ遊技球２３を遊技盤ユニット５に構成される遊技領域１６に向けて発射可能である。
【００２９】
パチンコ機２は、遊技者が後述する発射装置ハンドル１５を操作することによって、遊技領域１６に向けて球が発射ユニットによって発射され、球の流下による遊技が実現される。なお、遊技機は、パチンコ機２の他にパチンコ式スロットマシン機、コインゲーム機等のアーケードマシン、各種ゲーム機を概念することができ、要するに、遊技媒体の流下による遊技を実現する遊技領域を有するあらゆる遊技機が含まれる。
【００３０】
なお、パチンコ機においても、アレンジボール機、雀球機等の組合せ式パチンコ機、いわゆるデジパチタイプ（１種タイプ）やハネモノタイプ（２種タイプ）のパチンコ機等のあらゆるパチンコ機が概念できるが、本実施の形態においては、デジパチ遊技（１種遊技、図柄変動遊技ともいう。）を実現するいわゆる１種タイプのパチンコ機について例示説明する。なお、図柄変動遊技については後述する。
【００３１】
パチンコ機２の遊技機枠３は、後述する遊技盤ユニット５を保持するためのもので、このパチンコ機２の周囲側面及び前方又はそれに加えて後方を囲むように構成される。遊技機枠３の内部側には、遊技盤ユニット５の他にも後述する各種制御基板や遊技媒体用の経路等各種機構部品が配置され、遊技機枠３によって周囲側面及び前方又はそれに加えて後方からのパチンコ機２内部側への不正アクセスが防止されるようになっている。
【００３２】
パチンコ機２の周囲を囲む外枠４、その内側にヒンジ２２によって前方開閉可能に揺動支持されて遊技盤ユニット５を保持する前枠９、前枠９の前方にヒンジ２２によって前方開閉可能に揺動支持されガラス１０及びその周囲を装飾する装飾部材３２を保持するガラス枠１２、を有して遊技機枠３が構成される。なお、ガラス１０は、遊技機枠３内部側に保持された遊技盤６を前方から遊技者が視認することができるようにするための透明部材である。
【００３３】
ガラス１０は、遊技盤６に対して一定距離以上離間して配置された透明板である。ガラス１０は、２枚の透明平板ガラスで形成されてガラス枠１２の裏面側に保持され、遊技盤６との間に遊技球２３が流下する流下空間を形成する機能、遊技者がガラス１０を通して遊技盤６を視認できるように視認性を確保する機能、遊技者が遊技盤６に不正にアクセス（接触）できないように不正アクセスを防止する機能、を発揮する。
【００３４】
球皿１４は、遊技者の持ち球を貯留するためにパチンコ機２の前面に配置された皿部材であって、本実施の形態においては上球皿１４ａと下球皿１４ｂとを有している。上球皿１４ａは、球抜き部材１４ｃを有して遊技盤６の下方、すなわちガラス枠１２の下方部分に配置され、下球皿１４ｂは、その上球皿１４ａの更に下方に配置されている。
【００３５】
発射ユニットは、球送り装置（不図示）によって球皿１４の一部としての上球皿１４ａから発射位置に送り出された遊技球２３を遊技領域１６の上部に向けて発射（弾球）するためのものである。発射ユニットは、例えば発射位置の遊技球２３を弾球する発射杆、その発射杆を駆動する発射モータ、発射杆を付勢して弾球力を発生させる発射バネ等を有してユニット構成され、前枠９に取り付けられている。その発射ユニットによる球発射のため、遊技者の操作に基づいて球発射のオンオフ及びその発射強度調整を実現する発射装置ハンドル１５がパチンコ機２の前面下方に設けられている。
【００３６】
遊技盤ユニット５は、遊技盤面６ａ側の略中央に遊技役物としてのセンター役物７が配置された遊技盤６を有しており、その遊技盤面６ａには多数の遊技釘２７も配置されている。センター役物７の中央部には、画像表示手段としての演出表示装置７ａが配置されるとともに、この演出表示装置７ａの表示部７ｂを露出させるための表示開口部７ｄが形成されている。
【００３７】
遊技盤６は、その表面側に遊技球２３の流下による遊技を実現するための遊技領域１６を構成するための盤状部材であり、遊技盤６を前方から遊技者にとって視認可能となるように遊技機枠３（本実施の形態においては、遊技機枠３の一部としての前枠９。）に保持されている。その遊技盤６の表面には略円形状に周囲を囲むようにレール飾り２６が取り付けられており、レール飾り２６の外レール２６ａが遊技盤に対して立設するように配置されている。そして、レール飾り２６の外レール２６ａによって画定され、外レール２６ａに面した略円形状の領域が遊技領域１６となっている。
【００３８】
遊技釘２７は、遊技領域１６を流下する遊技球２３と衝突してその流下方向を変更させる流下変更部材であり、多数が遊技領域１６内に配置されている。また、遊技領域１６には、普通入賞口２８、始動入賞口２９、大入賞口３１等の入球部材及びアウト口３０が配置されている。更に、遊技領域１６には、ゲート３３、風車３４等が配置されており、流下する遊技球２３が各入球部材に流入したり、ゲート３３を通過したり、風車３４を回転させたりすることによって、遊技球２３による流下遊技を楽しむことができるようになっている。
【００３９】
センター役物７は、演出表示装置７ａの周囲を覆うように構成されており、図柄変動遊技（１種遊技）を実現するものである。センター役物７の上部には、図柄表示手段としての第１図柄（特別図柄）表示装置１７が配置されるとともに、センター役物７の中央部には、演出表示装置７ａが配置されている。演出表示装置７ａの上部には、可動物ユニット４０が設けられている。可動物ユニット４０については後述する。
【００４０】
第１図柄（特別図柄）表示装置１７には、抽選手段の抽選結果である第１図柄の変動が表示される。第１図柄は、始動入賞口２９への遊技球２３の入球を契機として実行される第１抽選の結果に対応した図柄である。第１図柄の変動表示が所定の当選態様で停止することにより第１特別遊技としての大当りが発生する。
【００４１】
演出表示装置７ａは、例えば、液晶表示装置・有機ＥＬディスプレイ・ＬＥＤ等により構成されて遊技者が遊技盤面６ａ側から視認可能となるように配置され、その表示部７ｂ上に映像表示を行うものである。この演出表示装置７ａの表示部７ｂには、第１図柄に連動する第１装飾図柄の表示がなされる。第１装飾図柄は、第１抽選手段の抽選結果を視覚的に演出するための図柄であり、第１の遊技に対応する。また、例えば、キャラクター等によるストーリー仕立ての映像としての演出映像も表示部７ｂ上に表示されるようになっている。演出表示装置７ａには、遊技制御手段としての演出制御基板が中継基板を介して電気的に接続されており、演出制御基板によって画像表示が制御される。
【００４２】
遊技盤６の裏面側には、パチンコ機２の全体の制御を行う遊技制御手段としての主制御基板を収容した主制御基板ケース３５と、演出表示装置７ａの画像表示や可動物ユニット４０の駆動等演出の制御等を行う演出制御基板を収容した演出制御基板ケース３６と、賞球の払出しを制御する払出制御基板（図示せず）を収容した払出制御基板ケース３７と、電源基板（図示せず）を収容した電源基板ケース３８と、が配置されている。この各制御基板ケースに収容された各制御基板によって遊技が実現される。更に、遊技盤６の裏面側には、パチンコ機２の遊技状態等の遊技情報を外部に出力するための外部出力端子板３９が設けられている。
【００４３】
図示しない球発射装置により遊技球２３が発射されると、遊技球２３はレール飾り２６の外レール２６ａに沿いつつ進行して遊技領域１６内の上部に至る。その後、遊技球２３は、複数の通過軌跡に沿って移動し、あるものはレール飾り２６の外レール２６ａに沿って右側に移動し、あるものはゲージに衝突しつつ遊技領域１６内を下方に流下し、あるものは普通入賞口２８に流入して一定数の景品球払出しの契機となり、あるものはいずれの入球装置にも流入せずに遊技領域１６内最下部に位置するアウト口３０に流入してアウト球としてパチンコ機２の外部側へと排出される。
【００４４】
図柄変動遊技中に遊技球２３が始動入賞口２９に流入すると、その流入に起因して演出表示装置７ａの表示図柄７ｃが回転表示（第１の特別遊技の抽選）を開始し、その表示図柄７ｃが所定の図柄（例えば、「７・７・７」。）で停止表示すれば、図柄変動遊技における大当り（第１の特別遊技。以下、図柄変動大当りという。）が発生する。そして、大入賞口３１が開放して多量の入賞球を受け入れ、多量の景品球が球皿１４へと払い出されるようになっている。
【００４５】
次いで、図３から図１０に基づいてセンター役物７に設けられた可動物ユニット４０について詳細に説明する。図３から図６は、センター役物７から取り外した可動物ユニット４０を示した図である。図３は正面図であり、図４は背面図である。図５は、右上方から見た斜視図であり、図６は、平面図である。なお、以下の説明における前後、左右及び上下は、遊技者が正面からパチンコ機２を視認した状態における方向である。
【００４６】
可動物ユニット４０は、センター役物７の上部に配置された第１ベース部材（図１参照）８と、センター役物７の右部に配置された第２ベース部材（図３参照）１１と、に固定されている。可動物ユニット４０は、第１ベース部材８及び第２ベース部材１１に対してスライド移動したり、回転移動したりする第１可動物４６、第２可動物５１、及び第３可動物６１を有している。
【００４７】
可動物ユニット４０は、金属製のレール部材４１と、レール部材４１に対してスライド移動する金属製のスライド部材４２と、スライド部材４２に固定され、スライド部材４２と共にスライド移動するラック部材４３と、ラック部材４３と噛み合うピニオン部材４４と、ピニオン部材４４を回転駆動する駆動手段としてのモータ４５と、ラック部材４３に接続され、ラック部材４３及びスライド部材４２と共にスライド移動する第１可動物４６と、を有し、レール部材４１、スライド部材４２、及びラック部材４３は、鉛直方向に対して傾斜して配置されており、斜め方向にスライド移動するように構成されている。
【００４８】
第１可動物４６は、鉛直方向に対して傾斜して配置されたレール部材４１に沿って斜め上下方向にスライド移動する。第１可動物４６の右方には、第１回転軸５１ａを中心に回転する第２可動物５１が設けられており、第１可動物４６の左方には、第２回転軸６１ａを中心に回転する第３可動物６１が設けられている。
【００４９】
図３から図６は、第１可動物４６が上端に位置した状態を示している。第１可動物４６は、図３から図６に示す状態から左斜め下方に向かって移動するように構成されている。図７は、第１可動物４６が上端位置にある状態を示した図であり、図８は、第１可動物４６が下端位置にある状態を示した図である。第１可動物４６は、上端位置と下端位置との間を移動する。なお、図７及び図８においては、各可動物の駆動機構の説明のため、第１可動物４６、第２可動物５１及び第３可動物６１を省略している。
【００５０】
第２可動物５１は、第１ベース部材８に軸支された第３ピニオン部材５２（図１参照）と噛み合う第４ピニオン部材５３に連結されており、図示しないモータによって第３ピニオン部材５２が回転されることによって、第４ピニオン部材５３と共に回転するように構成されている。
【００５１】
第２可動物５１は、第１接続部材５４を介して第１可動物４６と連結されている。第１接続部材５４は、回転可能に連結された複数の部材によって構成されている。第１接続部材５４の左端は、第１可動物４６の後面に固定された連結プレート４８に回転可能に連結されており、この連結プレート４８を介して第１可動物４６に対して連結されている。第１接続部材５４の右端は、第２可動物５１に対して回転可能に連結されている。
【００５２】
このように、回転可能に連結された複数の部材によって構成された第１接続部材５４によって第１可動物４６と第２可動物５１と連結しているため、異なる動きを実現する第１可動物４６と第２可動物５１とを接続した状態で、各可動物を独立して移動することができる。
【００５３】
また、第３可動物６１は、第１ベース部材８に軸支された第５ピニオン部材６２（図１参照）と噛み合う第６ピニオン部材６３に連結されており、図示しないモータによって第５ピニオン部材６２が回転されることによって、第６ピニオン部材６３と共に回転するように構成されている。
【００５４】
第３可動物６１は、第２接続部材６４を介して第１可動物４６と連結されている。第２接続部材６４は、回転可能に連結された複数の部材によって構成されている。第２接続部材６４の右端は、第１可動物４６の後面に設けられた連結プレート４８に対して回転可能に連結されており、この連結プレート４８を介して第１可動物４６に対して連結されている。第２接続部材６４の左端は、第３可動物６１に対して回転可能に連結されている。
【００５５】
このように、回転可能に連結された複数の部材によって構成された第２接続部材６４によって第１可動物４６と第３可動物６１と連結しているため、異なる動きを実現する第１可動物４６と第３可動物６１とを接続した状態で、各可動物を独立して移動することができる。
【００５６】
また、第１可動物４６の駆動機構を構成する金属製のレール部材４１は、平板状の第２ベース部材１１に固定されている。スライド部材４２は、レール部材４１に係止しており、レール部材４１に対してスライド移動する。スライド部材４２の後面には、ラック部材４３が直接固定されている。ラック部材４３の右方には、ラック部材４３と噛み合うピニオン部材４４が設けられている。比較的剛性の高い金属製のスライド部材４２にラック部材４３を直接固定することにより、ラック部材４３の取付構造の剛性を高め、ラック部材４３の位置ずれを防止することができる。
【００５７】
ピニオン部材４４は、第１ピニオン部材４４ａと、第１ピニオン部材４４ａと噛み合う第２ピニオン部材４４ｂと、を備えている。第１ピニオン部材４４ａ及び第２ピニオン部材４４ｂは、第２ベース部材１１に対して回転可能に連結されている。第１ピニオン部材４４ａは、ラック部材４３と噛み合うように配置されている。第２ピニオン部材４４ｂは、モータ４５と連結されており、モータ４５によって回転駆動される。
【００５８】
モータ４５の駆動力は、第１ピニオン部材４４ａ及び第２ピニオン部材４４ｂを介してラック部材４３に伝達される。したがって、モータ４５が回転駆動すると、第１ピニオン部材４４ａ及び第２ピニオン部材４４ｂが回転し、ラック部材４３がスライド部材４２とともにスライド移動する。
【００５９】
ラック部材４３の左端には、アーム部材４７が接続されている。アーム部材４７の右端（一端）４７ｂは、ラック部材４３に固定されており、アーム部材４７の左端（他端）４７ａは、第１可動物４６に固定されている。アーム部材４７は、ラック部材４３に固定されているため、レール部材４１、スライド部材４２及びラック部材４３のスライド移動に伴ってスライド移動し、第１可動物４６を斜め上下方向にスライド移動する。
【００６０】
アーム部材４７の左端４７ａは、第１可動物４６の後面に設けられた連結プレート４８に回転可能に連結されている。アーム部材４７は、ラック部材４３のスライド方向を含む平面Ｐと略同一平面である。また、アーム部材４７の左端４７ａと連結された第１可動物４６の重心Ｇは、ラック部材４３のスライド方向を含む平面Ｐよりも前方に位置している（図６参照）。第１可動物４６の自重は、アーム部材４７よりも前方に作用する。したがって、アーム部材４７には、スライド方向を含む平面Ｐと直交する方向Ｘへの引張力が作用し、アーム部材４７は、直交する方向に倒れが生じるおそれがある。この第１可動物の自重によるアーム部材４７の倒れを防止するために、ガイド部材としての回転体４９が設けられている。
【００６１】
図９は、図８に示すＡ−Ａ断面における部分断面図である。図９に示すように、アーム部材４７には、ガイド部材としての回転体４９が４個設けられている。回転体４９は、アーム部材４７の前面側の上部と、背面側の下部と、に配置されている。このように、前面側の上部と背面側の下部とに離間して回転体４９を配置することにより、第１可動物４６の自重による倒れ（前方が下降する方向の倒れ）を効果的に防止することができる。
【００６２】
また、図１０は、図８に示すラック部材４３、第１ピニオン部材４４ａ、及び第２ピニオン部材４４ｂを拡大した部分拡大図である。ラック部材４３と第１ピニオン部材４４ａとが噛み合う点において、ラック部材４３における第１ピニオン部材４４ａの歯と噛み合うピッチ線Ｑ１は、第１ピニオン部材４４ａにおけるラック部材４３の歯と噛み合うピッチ円Ｑ２の接線である。このピッチ円Ｑ２とピッチ線Ｑ１とが接している状態においては、ラック部材４３のピッチ点（ピッチ線Ｑ１上の点）Ｒ１と、第１ピニオン部材４４ａのピッチ点（ピッチ円Ｑ２上の点）Ｒ２と、は、略一定の距離を保っている。
【００６３】
例えば、ラック部材４３に位置ずれが生じると、第１ピニオン部材４４ａとの相対位置がずれ、ピッチ点間の距離を略一定に保つことができなくなる。ピッチ点間の距離が一定に保たれないと、伝達効率が低下したり、歯と歯の噛み合わせが悪くなり歯の磨耗が進んだりする不具合が生じるおそれがある。しかし、ラック部材４３の取付構造の剛性を高めて、ラック部材４３の位置ずれを防止することにより、伝達効率の低下や歯の磨耗を防止することが可能となる。
【００６４】
更に、第１可動物４６は、アーム部材４７、ラック部材４３、第１ピニオン部材４４ａ、及び第２ピニオン部材４４ｂを介してモータ４５と連結されている。２つのピニオン部材を介して、第１可動物４６とモータ４５とを連結することにより、第１可動物４６が落下した場合等ラック部材４３に衝撃力が作用した際に係る衝撃力を分散して、個々に作用する衝撃力を低減し、連結部分やモータ４５の破損を防ぐことができる。
【００６５】
具体的には、第１ピニオン部材４４ａとラック部材４３との間のバックラッシと、第１ピニオン部材４４ａと第２ピニオン部材４４ｂとの間のバックラッシと、によって、ラック部材４３に作用した衝撃力を吸収して低減することができる。更に、複数の箇所にバックラッシを設けることにより、衝撃力を分散させて、個々に作用する衝撃力を低減し、連結部分やモータ４５の破損を防止することが可能となる。
【００６６】
このように構成された可動物ユニット４０によれば、比較的剛性の高い金属製のスライド部材４２にラック部材４３を直接固定することにより、ラック部材４３の取付構造の剛性を効果的に高め、ラック部材４３の位置ずれを防止することができる。ラック部材の位置ずれを防止することにより、ラック部材とピニオン部材との相対位置のずれを防止し、伝達効率の低下や歯の磨耗を防止することが可能となる。
【００６７】
更に、２つのピニオン部材を介して第１可動物４６とモータ４５とを連結することにより、第１可動物４６等に作用する衝撃力を分散及び吸収し、部材間の連結部分やモータに対する衝撃力を低減することができる。
【００６８】
以上、本発明の好ましい実施の形態を説明したが、本発明はこれらに限定されるものではなく、その要旨の範囲内で様々な変形や変更が可能である。
【符号の説明】
【００６９】
Ｇ：重心
Ｐ：ラック部材のスライド方向を含む平面
Ｑ１：ピッチ線
Ｑ２：ピッチ円
Ｒ１、Ｒ２：ピッチ点
Ｘ：ラック部材のスライド方向を含む平面と直交する方向
２：パチンコ機（遊技機）
３：遊技機枠
４：外枠
５：遊技盤ユニット
６：遊技盤
６ａ：遊技盤面
７：センター役物
７ａ：演出表示装置
７ｂ：表示部
７ｃ：表示図柄
７ｄ：表示開口部
８：第１ベース部材
９：前枠
１０：ガラス
１１：第２ベース部材
１２：ガラス枠
１４：球皿
１４ａ：上球皿
１４ｂ：下球皿
１４ｃ：球抜き部材
１５：発射装置ハンドル
１６：遊技領域
１７：第１図柄（特別図柄）表示装置
２２：ヒンジ
２３：遊技球
２６：レール飾り
２６ａ：外レール
２７：遊技釘
２８：普通入賞口
２９：始動入賞口
３０：アウト口
３１：大入賞口
３２：装飾部材
３３：ゲート
３４：風車
３５：主制御基板ケース
３６：演出制御基板ケース
３７：払出制御基板ケース
３８：電源基板ケース
３９：外部出力端子板
４０：可動物ユニット
４１：レール部材
４２：スライド部材
４３：ラック部材
４４：ピニオン部材
４４ａ：第１ピニオン部材
４４ｂ：第２ピニオン部材
４５：モータ（駆動手段）
４６：第１可動物
４７：アーム部材
４７ａ：左端（他端）
４７ｂ：右端（一端）
４８：連結プレート
４９：回転体（ガイド部材）
５１：第２可動物
５１ａ：第１回転軸
５２：第３ピニオン部材
５３：第４ピニオン部材
５４：第１接続部材
６１：第３可動物
６１ａ：第２回転軸
６２：第５ピニオン部材
６３：第６ピニオン部材
６４：第２接続部材
【図１】
2011045391.tif 000003
【図２】
2011045391.tif 000004
【図３】
2011045391.tif 000005
【図４】
2011045391.tif 000006
【図５】
2011045391.tif 000007
【図６】
2011045391.tif 000008
【図７】
2011045391.tif 000009
【図８】
2011045391.tif 000010
【図９】
2011045391.tif 000011
【図１０】
2011045391.tif 000012